(57)【要約】【課題】紙幣を計数する紙幣計数装置において、計数した紙幣と交換可能なチップの組合せが容易に分かるようにする。【解決手段】紙幣計数装置１は、紙幣の計数値を表示するための画面表示部８１，８２と、画面表示部８１，８２の表示内容を制御する画面制御部２３とを備える。画面制御部２３は、紙幣の計数値Ｄ１を基にして、当該計数値Ｄ１が表す金額と交換可能であるチップの組合せを示すチップ交換パターンＣ１〜Ｃ４を、画面表示部８１，８２に表示可能なように構成されている。【選択図】図６
2016197321.tif 000002
【特許請求の範囲】
【請求項１】
紙幣を計数する紙幣計数装置であって、
紙幣の計数値を表示するための画面表示部と、
前記画面表示部の表示内容を制御する画面制御部とを備え、
前記画面制御部は、前記計数値を基にして、当該計数値が表す金額と交換可能であるチップの組合せを示すチップ交換パターンを、前記画面表示部に表示可能なように構成されている
ことを特徴とする紙幣計数装置。
【請求項２】
前記画面制御部は、
前記チップを用いた遊技における利用単位金額の最小値および最大値と、前記チップの金額の種類を示す金種情報とを用いて、前記チップ交換パターンの生成を行う
ことを特徴とする請求項１記載の紙幣計数装置。
【請求項３】
前記画面制御部は、
複数種類の前記チップ交換パターンを、併せて、前記画面表示部に表示する候補表示モードを有している
ことを特徴とする請求項１または２記載の紙幣計数装置。
【請求項４】
操作入力部を備え、
前記候補表示モードにおいて、表示された複数種類の前記チップ交換パターンの中から、前記操作入力部によっていずれか１つを選択可能である
ことを特徴とする請求項３記載の紙幣計数装置。
【請求項５】
前記画面制御部は、
前記操作入力部によって選択された前記チップ交換パターンを、前記画面表示部に単独で表示する
ことを特徴とする請求項４記載の紙幣計数装置。
【請求項６】
前記画面制御部は、
前記操作入力部によって選択された前記チップ交換パターンを、前記候補表示モードにおいて、強調して表示する
ことを特徴とする請求項４記載の紙幣計数装置。
【請求項７】
前記画面制御部は、
前記チップ交換パターンの表示において、チップの表示を、当該チップの現実の色に合わせて行う
ことを特徴とする請求項１記載の紙幣計数装置。
【発明の詳細な説明】
【技術分野】
【０００１】
ここに開示する技術は、紙幣計数装置に関する。
【背景技術】
【０００２】
特許文献１には、紙幣の識別及び計数を行う紙幣計数装置が記載されている。この装置は、卓上型である。この紙幣計数装置は、筐体の上部に設けられかつ、計数対象の紙幣が置かれる取込部と、筐体内に配設されかつ、紙幣の識別を行う識別部と、識別後の紙幣が集積される集積部と、を備えている。
【先行技術文献】
【特許文献】
【０００３】
【特許文献１】特開２０１３−２５０９０９号公報
【発明の概要】
【発明が解決しようとする課題】
【０００４】
ところで、紙幣計数装置は、例えばチップを使用した遊技が行われる遊技場等の施設において、客から手渡された紙幣の計数を行うために用いられる。客は、例えば紙幣をチップに両替する際に、遊技場の担当者に紙幣を手渡す。担当者は手渡された紙幣を紙幣計数装置にセットし、計数結果に従ってチップを客に渡す。このとき担当者は、紙幣計数装置による計数結果の金額を見て、暗算計算によりチップを適宜選択し、客に渡す。ところがこの場合、チップを渡すまでに時間がかかり、また、暗算計算なので誤りが生じる場合がある。しかも誤りが生じたとき、その誤りに客、あるいは担当者自身が気づかない可能性もある。
【０００５】
ここに開示する技術はかかる点に鑑みてなされたものであり、その目的とするところは、紙幣を計数する紙幣計数装置において、計数した紙幣と交換可能なチップの組合せが容易に分かるようにすることにある。
【課題を解決するための手段】
【０００６】
ここに開示する技術は、紙幣を計数する紙幣計数装置に関する。この紙幣計数装置は、  紙幣の計数値を表示するための画面表示部と、前記画面表示部の表示内容を制御する画面制御部とを備え、前記画面制御部は、前記計数値を基にして、当該計数値が表す金額と交換可能であるチップの組合せを示すチップ交換パターンを、前記画面表示部に表示可能なように構成されている。
【０００７】
この構成によると、紙幣の計数値を表示するための画面表示部に、画面制御部の制御によって、紙幣の計数値が表す金額と交換可能であるチップの組合せを示すチップ交換パターンを表示することができる。このため、当該紙幣計数装置が、例えばチップを用いた遊技を行う遊技場に設置された場合に、遊技の担当者が、紙幣とチップとの交換作業を、素早くかつ正確に実行することができる。
【０００８】
前記画面制御部は、前記チップを用いた遊技における利用単位金額の最小値および最大値と、前記チップの金額の種類を示す金種情報とを用いて、前記チップ交換パターンの生成を行う、としてもよい。
【０００９】
この構成によると、チップ交換パターンが、遊技における利用単位金額の最小値および最大値とチップの金額の種類を示す金種情報とを用いて、生成されるので、当該紙幣計数装置は、状況に応じた的確なチップ交換パターンを表示することができる。
【００１０】
また、前記画面制御部は、複数種類の前記チップ交換パターンを、併せて、前記画面表示部に表示する候補表示モードを有している、としてもよい。
【００１１】
この構成によると、候補表示モードにおいて、複数種類のチップ交換パターンが併せて画面に表示されるので、遊技の担当者や客などは、所望のチップ交換パターンを選択することができる。
【００１２】
そして、当該紙幣計数装置は、操作入力部を備え、前記候補表示モードにおいて、表示された複数種類の前記チップ交換パターンの中から、前記操作入力部によっていずれか１つを選択可能である、としてもよい。
【００１３】
この構成によると、操作入力部によって、チップ交換パターンの選択を行うことができる。
【００１４】
そして、前記画面制御部は、前記操作入力部によって選択された前記チップ交換パターンを、前記画面表示部に単独で表示する、としてもよい。
【００１５】
この構成によると、選択したチップ交換パターンを画面で確認することができる。
【００１６】
あるいは、前記画面制御部は、前記操作入力部によって選択された前記チップ交換パターンを、前記候補表示モードにおいて、強調して表示する、としてもよい。
【００１７】
この構成によると、候補表示モードにおいて、選択したチップ交換パターンを画面で確認することができる。
【００１８】
また、前記画面制御部は、前記チップ交換パターンの表示において、チップの表示を、当該チップの現実の色に合わせて行う、としてもよい。
【００１９】
この構成によると、チップ交換パターンが、より分かりやすく表示される。
【発明の効果】
【００２０】
前記の紙幣計数装置によると、例えばチップを用いた遊技を行う遊技場に設置された場合に、遊技の担当者が、紙幣とチップとの交換作業を、素早くかつ正確に実行することができる。
【図面の簡単な説明】
【００２１】
【図１】紙幣計数装置を前側から見た外観を示す斜視図
【図２】紙幣計数装置を後側から見た外観を示す斜視図
【図３】紙幣計数装置の平面図
【図４】紙幣計数装置の構成を示すブロック図
【図５】紙幣計数装置においてチップ交換パターンの表示に関連する機能構成を示すブロック図
【図６】画面表示の例であり、（ａ）は紙幣計数時の画面例、（ｂ）はチップ交換パターンの表示画面例、（ｃ）は選択されたチップ交換パターンの表示画面例
【図７】紙幣計数からチップ交換までの、紙幣処理装置およびこれを操作する担当者の動作の例を示すフローチャート
【図８】候補表示モードにおいて選択されたチップ交換パターンを強調表示した画面の例
【発明を実施するための形態】
【００２２】
以下、紙幣計数装置の実施形態を、図面を参照しながら説明する。尚、以下の説明は、紙幣計数装置の一例を示すものである。
【００２３】
＜装置の全体構成＞
図１及び図２は、紙幣計数装置１（以下、単に装置１と呼ぶ）の外観を示している。装置１は、紙幣の識別と計数とを行う。装置１は、少なくとも紙幣の真偽及び金種を識別する。装置１は、複数の通貨の識別及び計数が可能である。計数対象の通貨は、予め設定される。計数対象の通貨は、変更が可能である。装置１は、例えば遊技場等の施設において、客から手渡された紙幣の識別及び計数を行うために用いられる。客は、例えば、紙幣を、遊技に使用するチップに両替する際に、遊技場の担当者に紙幣を手渡す。
【００２４】
装置１は、テーブル、カウンター、机、及び、台等の上に置かれて使用される卓上型である。装置１は小型であり、テーブル等の上に置いても場所をとらない。尚、以下においては、説明の便宜上、図１における紙面右手前を装置１の前、紙面左奥を装置１の後ろ、紙面右奥を装置１の右、紙面左手前を装置１の左と呼ぶ。担当者は、通常は、装置１の前面を自分の方に向けて装置１を使用する。
【００２５】
装置１は、上部１１と下部１２との、上下方向に重なる２つの部位から構成される。装置１の上部１１と下部１２とは、仕切板１３によって隔てられる。
【００２６】
装置１の上部１１は、計数対象の紙幣を搬送しながら、識別と計数とを行うよう構成されている。装置１は、計数対象の紙幣がセットされるよう構成されたセット部２と、紙幣の識別及び計数を行うよう構成された識別部３と、識別を行った紙幣を保持するよう構成された保持部４と、セット部２から繰り出された紙幣を、一枚ずつ識別部３を通過させて保持部４にまで搬送するよう構成された搬送部５と、を備えている。
【００２７】
装置１の下部は、装置１を動作させるために必要な各種の機器を収容するよう構成されている。具体的に、図１、２では図示を省略するが、装置１の下部は、各部２、３、４及び５の動作を制御する制御部６（図４参照）を収容する。装置１の下部はまた、各部２、３、４及び５において行う各種動作の駆動源であるモータや、駆動力を伝達する歯車等を収容する。さらに、装置１の下部には、コネクタ７（図４参照）が設けられている。コネクタ７には、装置１に電力を供給する電源コードや、装置１を外部装置に対して接続する、又は、外部装置を装置１に接続するためのケーブルが接続される。
【００２８】
装置１はまた、ここに開示する例では、第１ディスプレイ８１と、第２ディスプレイ８２との２つのディスプレイを備えている。第１ディスプレイ８１は、主に担当者が見るためのディスプレイである。第２ディスプレイ８２は、主に客が見るためのディスプレイである。第１ディスプレイ８１及び第２ディスプレイ８２の表示内容は、例えば遊技場等の施設の天井部等に取り付けた監視カメラからも確認することが可能である。
【００２９】
セット部２は、図１及び図３に示すように、装置１の前部右側に配置される。仕切板１３の上面は、セット部２において紙幣Ｂをセットするセット面として機能する。セット部２は、図１に２点鎖線で示すように、紙幣Ｂの長手の縁を下にして、仕切板１３の上面に立てた状態に、紙幣Ｂをセットするように構成されている。セット部２は、装置１の上方及び前方に開放されている。セット部２に紙幣Ｂをセットしたときに、紙幣Ｂの上部及び搬送方向後部（後述するように、紙幣Ｂの搬送方向の進み側を紙幣Ｂの先、その逆側を紙幣Ｂの後としたときの後部）はそれぞれ、装置１の上方及び前方に飛び出す。担当者及び客は、セット部２にセットした紙幣Ｂの、少なくとも一部を見ることができる。
【００３０】
セット部２は、複数枚の紙幣Ｂを、水平方向に並べた状態で一度にセットすることが可能に構成されている。大きさの異なる紙幣Ｂが混ざり合っていてもよい。セット部２は、紙幣Ｂの繰り出し機構を有している。繰り出し機構は、セット部２にセットされた紙幣Ｂを一枚ずつ繰り出す。
【００３１】
識別部３は、装置１の前後方向中央部の右側に配置される。識別部３とセット部２とは、装置１の前後方向に隣り合っている。識別部３は、紙幣Ｂが進入する入口部３４１及び紙幣Ｂが退出する出口部３４２を有している。セット部２から繰り出された紙幣は、識別部３を通過する。識別部３は、紙幣Ｂに関する情報を取得するセンサを有している。識別部３は、紙幣Ｂが通過をする際にセンサが取得した情報に基づいて、当該紙幣Ｂが受け入れ可能な正常紙幣であるか、受け入れ不可能なリジェクト紙幣であるかを判定する。識別部３はまた、正常紙幣の計数を行う。
【００３２】
保持部４は、装置１の前部左側に配置される。保持部４とセット部２とは、装置１の左右方向に隣り合っている。仕切板１３の上面は、保持部４において紙幣Ｂを保持する保持面として機能する。保持部４は、紙幣Ｂの長手の縁を下にして、仕切板１３の上面に立てた状態で紙幣Ｂを保持する。保持部４は、複数枚の紙幣Ｂを、水平方向に並べた状態で、一度に保持することができるよう構成されている。保持部４は、装置１の上方、前方及び左側方に開放されている。図１に２点鎖線で示すように、保持部４に保持されている紙幣Ｂの上部は、保持部４から上方に飛び出す。担当者及び客は、保持部４に保持されている紙幣Ｂを見ることができる。
【００３３】
搬送部５は、セット部２から保持部４に至るように設けられる搬送路を有している。図３に示すように、搬送路は、第１搬送路５１、第２搬送路５２、及び第３搬送路５３から構成されている。搬送路は全体として、平面視でＵ字状をなすように配設されている。
【００３４】
搬送部５は、仕切板１３の上面に紙幣Ｂを立てた状態で、一枚ずつ長手搬送する。各搬送路５１、５２、５３は、水平方向に所定の間隔を空けて配設されるガイド５５、５６、５７によって構成されている。ガイド５５、５６、５７は、立てた状態で搬送される紙幣Ｂの表面及び裏面に相対する。ガイド５５、５６、５７の高さは、紙幣Ｂの高さ（つまり、短手長さ）よりも低い。ガイドとガイドとの間には、上向きに開口する開口部５０が設けられる。図１に２点鎖線で示すように、搬送中の紙幣Ｂの上部は、この開口部５０から上方に飛び出す。担当者及び客は、搬送中の紙幣Ｂを見ることができる。
【００３５】
第１搬送路５１と第２搬送路５２との接続部分には、リジェクト口５４が接続されている。リジェクト口５４は、識別部３によって、リジェクト紙幣と判定された紙幣Ｂを払い出す口である。リジェクト口５４は、上方に開放していると共に、図２に示すように、装置１の後部の右側面に開口している。図２に２点鎖線で示すように、リジェクト口５４に払い出されたリジェクト紙幣Ｂの一部は、リジェクト口５４から装置１の右側方に飛び出すと共に、リジェクト紙幣Ｂの上部は、第２搬送路５２及びリジェクト口５４から上方に飛び出す。担当者及び客は、リジェクト紙幣Ｂを見ることができる。
【００３６】
図４は、装置１の動作に関係するブロック図を示している。セット部２、識別部３、保持部４及び搬送部５は、信号の送受が可能となるよう制御部６に電気的に接続されている。
【００３７】
また、第１ディスプレイ８１及び第２ディスプレイ８２も、制御部６に、電気的に接続されている。第１ディスプレイ８１は、タッチパネル式のディスプレイによって構成されている。担当者は、第１ディスプレイ８１において、各種の操作を行うことが可能である。第２ディスプレイ８２は、タッチパネル式のディスプレイではなく、表示のみを行う。第１ディスプレイ８１及び第２ディスプレイ８２には、少なくとも計数結果が表示される。
【００３８】
制御部６には、第１センサ６１、第２センサ６２、第３センサ６３、第４センサ６４及び第５センサ６５が接続される。第１〜第５センサ６１〜６５はそれぞれ、紙幣Ｂを検知すると共に、検知信号を制御部６に出力する。図３に示すように、第１センサ６１は、セット部２の近傍に配設されている。第１センサ６１は、セット部２に紙幣Ｂがセットされたことを検知する。第２センサ６２は、第２搬送路５２に配設されている。第２センサ６２が紙幣Ｂの通過を検知したときに、後述するように、正常紙幣とリジェクト紙幣との搬送の切り替えを行う。第３センサ６３は第３搬送路５３に配設されている。第３センサ６３は、紙幣Ｂが保持部４に払い出されたことを検知する。第４センサ６４は、リジェクト口５４の近傍に配設されている。第４センサ６４は、リジェクト口５４に払い出された紙幣Ｂが、リジェクト口５４から抜き取られたことを検知する。第５センサ６５は、保持部４に配設されている。第５センサ６５は、保持部４に保持されていた紙幣Ｂが取り除かれたことを検知する。
【００３９】
次に、装置１の計数動作について説明する。担当者が、客から手渡された紙幣Ｂをセット部２にセットすると、第１センサ６１が紙幣Ｂを検知する。制御部６は、第１センサ６１の検知結果を受けて、セット部２から紙幣Ｂを一枚ずつ繰り出す。
【００４０】
セット部２から繰り出された紙幣Ｂは識別部３を通過する。識別部３は、センサによって紙幣Ｂに関する情報を取得すると共に、その情報に基づいて、各紙幣が受け入れ可能な正常紙幣であるか、受け入れ不可能なリジェクト紙幣であるかを判定する。例えば、紙幣Ｂが計数対象の通貨以外の通貨であるときには、リジェクト紙幣であると判定される。また、２枚以上の紙幣が重なって搬送されているときにも、リジェクト紙幣であると判定される。さらに、真偽不確定の紙幣も、リジェクト紙幣であると判定される。識別部３はまた、正常紙幣については、その金種を識別する。識別部３は、正常紙幣の計数も行う。
【００４１】
識別部３を通過した紙幣Ｂは、搬送部５によって搬送されることで、第１搬送路５１から第２搬送路５２へと至る。第２センサ６２が紙幣Ｂの通過を検知したときに、当該紙幣Ｂが正常紙幣であれば、その紙幣Ｂは、そのまま第３搬送路５３に搬送される。
【００４２】
第３搬送路５３に至った紙幣Ｂは、第３センサ６３を通過し、その後、保持部４に払い出される。保持部４は、払い出された紙幣Ｂを順次保持する。紙幣Ｂは、水平方向に並んで保持される。第３センサ６３の検知結果を受けて、制御部６は、セット部２から次の紙幣Ｂを繰り出す。制御部６は、計数動作の最中に、計数値をリアルタイムで、第１ディスプレイ８１及び第２ディスプレイに表示させる。
【００４３】
第２センサ６２が紙幣Ｂの通過を検知したときに、当該紙幣Ｂがリジェクト紙幣であれば、制御部６は、搬送部５を一時停止させる。その後、制御部６は、第２搬送路５２に位置している紙幣Ｂが逆向きに搬送されるように、搬送部５を動作させる。紙幣Ｂは、第２搬送路５２からリジェクト口５４の方に搬送されて、リジェクト口５４に払い出される。この状態で、装置１の動作は停止する。リジェクト口５４に払い出されたリジェクト紙幣Ｂは、担当者が手で取り除く。第４センサ６４が、リジェクト紙幣Ｂが取り除かれたことを検知すると、制御部６は、装置１の計数動作を再開する。
【００４４】
セット部２にセットされた紙幣Ｂが全て繰り出されることによって、計数対象の紙幣Ｂの計数が全て終了すれば、制御部６は、計数結果、つまり、総額を第１ディスプレイ８１及び第２ディスプレイ８２に表示させる。こうして、装置１の計数動作が完了する。計数の完了後に、保持部４に保持されている紙幣Ｂは、担当者が手で取り除く。第５センサ６５は、紙幣Ｂが取り除かれたことを検知する。
【００４５】
＜チップ交換パターンの表示＞
本実施形態に係る装置１は、例えば、チップを用いた遊技を行う遊技場に設置されるものとする。そして、装置１は、紙幣の計数値が表す金額と交換可能であるチップの組合せ（以下、チップ交換パターンという）を、画面表示部に表示可能に構成されている。これにより、遊技の担当者は、紙幣とチップとの交換作業を、素早くかつ正確に実行することができる。
【００４６】
図５は装置１においてチップ交換パターンの表示に関連する機能構成を示すブロック図である。チップ交換パターンの表示に直接関連しない構成については、図示を省略している。図５に示すように、装置１は、担当者などのユーザによる操作入力が行われる操作入力部２１、外部との通信を制御する通信制御部２２、および、画面表示部（本実施形態では第１ディスプレイ８１および第２ディスプレイ８２）の表示内容を制御する画面制御部２３を備えている。操作入力部２１は、本実施形態では、担当者用の画面表示部である第１ディスプレイ８１に設けられたタッチパネルによって実現されている。ただしこれに限られるものではなく、例えば、装置１本体に設けられたスイッチ類や操作パネルによって実現されてもよい。通信制御部２２および画面制御部２３は、本実施形態では、上述した制御部６の１つの機能として実現されており、例えば、マイクロコンピュータとプログラムの組合せによって実現される。ただしこれに限られるものではなく、制御部６とは独立したシステムＬＳＩ等によって実現されてもよい。
【００４７】
そして装置１は、例えば、遊技場を集中管理している上位サーバー１００と、コネクタ７を介して通信可能なように接続されている。通信制御部２２は、上位サーバー１００から、チップ交換パターン生成の条件となる情報を受信し、画面制御部２３に送る。チップ交換パターン生成の条件とは例えば、チップを用いた遊技における利用単位金額の最小値および最大値や、チップの金額の種類を示す金種情報等である。上位サーバー１００は、例えば遊技場の営業開始前に、装置１に、当該装置１が置かれたテーブルにおけるチップ交換パターン生成の条件となる情報を送信する。例えばここでは、利用単位金額の最小値＄２５、最大値＄１０００、チップの金種＄２５，＄５０，＄１００といった情報を、装置１に送信する。
【００４８】
装置１が紙幣を計数すると、画面制御部２３は、当該計数値に対応するチップ交換パターンを生成し、第１ディスプレイ８１および第２ディスプレイ８２に表示する。チップ交換パターンの生成は、上位サーバー１００から事前に送信された情報を基にして、自動的に行われる。このときの演算処理は例えば、公知の両替アルゴリズムによって実行可能である。なお、後述するように、画面に表示するチップ交換パターンは、複数種類であってもよいし、単独であってもよい。本実施形態では、画面制御部２３は、複数種類のチップ交換パターンを、併せて画面に表示する候補表示モードを有している。また、チップ交換パターンの表示は、例えば操作入力部２１の操作を受けたタイミングで、実行される。
【００４９】
紙幣とチップの交換が行われると、通信制御部２２は、交換した紙幣の金種とその枚数の情報を上位サーバー１００に送信する。これにより、遊技場は、入金情報を容易に一元管理することができる。
【００５０】
図６（ａ）〜（ｃ）は画面表示の例である。図６の画面は第１ディスプレイ８１に表示されることを想定している。なお、客用の表示画面である第２ディスプレイ８２にも同様の表示がなされるが、第２ディスプレイ８２にはタッチパネルが設けられていないので、タッチ用ボタンは表示されない。
【００５１】
図６（ａ）は紙幣を計数したときの画面表示の例であり、計数値Ｄ１として「＄８００」が表示されている。Ｄ２は通貨表示であり、図では香港ドルの通貨コード「ＨＫＤ」が表示されている。Ｄ３は承認ボタンであり、計数結果が客に承認されたとき、担当者が承認ボタンＤ３を押す（タッチする）ことによって、チップ交換パターンの表示画面に切り替わる。
【００５２】
図６（ｂ）はチップ交換パターンの表示画面の例であり、複数種類（図では４種類）のチップ交換パターンＣ１〜Ｃ４が表示されている。すなわち、図６（ｂ）は上述した候補表示モードの一例である。なお、チップ交換パターンには様々なものが存在するため、生成アルゴズムに所定の制約条件を与えることによって、特徴のあるチップ交換パターンを生成することができる。
【００５３】
例えば、チップ交換パターンＣ１は、「最少額のチップのみを用いる」という制約条件を与えたものである。これにより、ここでの最少額である＄２５チップのみからなるチップ交換パターンＣ１が生成されている。チップ交換パターンＣ２は、「少額のチップ２種類のみを用いる」＆「チップ毎の合計金額のばらつきが最小」という制約条件を与えたものである。これにより、＄２５と＄５０のチップからなり、チップ毎の合計金額がともに＄４００であるチップ交換パターンＣ２が生成されている。チップ交換パターンＣ３は、「交換可能な全てのチップを用いる」＆「少額チップを優先する」という制約条件を与えたものである。これにより、＄１００チップ１枚、＄５０チップ２枚、＄２５チップ２４枚というチップ交換パターンＣ３が生成されている。チップ交換パターンＣ４は、「交換可能な全てのチップを用いる」＆「チップ毎の合計金額のばらつきが所定値以下」という制約条件を与えたものである。これにより、＄１００チップ３枚、＄５０チップ５枚、＄２５チップ１０枚という、比較的バランスがとれたチップ交換パターンＣ４が生成されている。
【００５４】
図６（ｃ）は選択されたチップ交換パターンの表示画面の例であり、図６（ｂ）の画面からチップ交換パターンＣ４が選択された場合を示している。図６（ｃ）では、チップ交換パターンＣ４が画面に単独で表示されている。また、直観で分かりやすいように、現実のチップを模したイラストが用いられている。チップ交換パターンを分かりやすく表示するためには例えば、各チップの表示を、当該チップの現実の色に合わせて行えばよい。
【００５５】
図７は紙幣計数からチップ交換までにおける、装置１およびこれを操作する担当者の動作の例を示すフローチャートである。まず、担当者は、チップ交換を求める客から紙幣を受け取ると（Ｓ１１）、この紙幣を装置１のセット部２にセットし、計数を実行する（Ｓ１２）。計数が終了すると、装置１は第１ディスプレイ８１および第２ディスプレイ８２に計数結果を表示する（Ｓ１３）。このときの画面は、例えば図６（ａ）のようになる。
【００５６】
担当者は、計数が終了した紙幣を、例えば遊技場に設置された回収ボックスに入れ、計数結果を承認する（Ｓ１４）。ここでの承認は例えば、図６（ａ）の画面における承認ボタンＤ３をタッチすることによって行われる。すると、装置１は、第１ディスプレイ８１および第２ディスプレイ８２にチップ交換パターンを表示する（Ｓ１５）。このときの画面は、例えば図６（ｂ）のようになる。客は、客用の表示画面である第２ディスプレイ８２を見て、希望するチップ交換パターンを担当者に告げる。担当者は、客の指示に従ってチップ交換パターンを選択する（Ｓ１６）。ここでは担当者は、担当者用の表示画面である第１ディスプレイ８１に対して、客が告げたチップ交換パターンの位置をタッチする。
【００５７】
装置１は、選択されたチップ交換パターンを、第１ディスプレイ８１および第２ディスプレイ８２に表示する（Ｓ１７）。このときの画面は、例えば図６（ｃ）のようになる。担当者は、表示されたチップ交換パターンに従って、客にチップを渡す（Ｓ１８）。なお、計数値に対してチップ交換時に端数が出る場合は、その端数の金額もチップ交換パターンと併せて画面に表示し、客にチップを渡す際にその金額を返すようにすればよい。
【００５８】
このように本実施形態によると、紙幣の計数値を表示するための第１および第２ディスプレイ８１，８２に、画面制御部２３の制御によって、紙幣の計数値Ｄ１が表す金額と交換可能であるチップの組合せを示すチップ交換パターンＣ１〜Ｃ４を表示することができる。このため、当該装置１が、例えばチップを用いた遊技を行う遊技場に設置された場合に、遊技の担当者が、紙幣とチップとの交換作業を、素早くかつ正確に実行することができる。また、チップ交換パターンＣ１〜Ｃ４が、遊技における利用単位金額の最小値および最大値とチップの金額の種類を示す金種情報とを用いて生成されるので、当該装置１は、状況に応じた的確なチップ交換パターンＣ１〜Ｃ４を表示することができる。
【００５９】
なお、上の実施形態では、複数種類のチップ交換パターンを画面に表示（候補表示モード）して、客にいずれかのチップ交換パターンを選択してもらうものとしたが、本開示はこれに限られるものではない。例えば、最初に１種類のチップ交換パターンを画面に表示し、客がそのチップ交換パターンを気に入らないときは、次のチップ交換パターンを画面に表示する、というような制御を行ってもかまわない。
【００６０】
また、上の実施形態では、候補表示モードで選択されたチップ交換パターンを、図６（ｃ）に示すように、改めて単独で表示するものとしたが、本開示はこれに限られるものではない。例えば、図８に示すように、候補表示モードの画面において、選択されたチップ交換パターンＣ４を強調して表示してもよい。強調する態様としては、図８に示すように、拡大したり、縁取りしたり、ハイライト化したり、その他様々なものが考えられる。
【００６１】
また、チップ交換パターンの生成のための制約条件は、上述したものに限られるものではなく、その他様々なものが考えられる。例えば、各チップの上限枚数を制限する、高額チップを優先する、特定のチップを避ける、などといった制約条件が考えられる。また、これらの制約条件は、上位サーバー１００から送信するようにしてもよい。例えば、営業開始前に制約条件を送信してもいいし、あるいは、客に応じて、制約条件の優先順位を変更するようにしてもよい。
【００６２】
また、上の実施形態では、装置１は第１および第２ディスプレイ８１，８２という２つの画面表示部を有しており、各画面表示部において、チップ交換パターンを表示するものとしたが、これに限られるものではない。画面表示部の個数は１個でもいいし、３個以上であってもよい。また、画面表示部が複数個ある場合、一部の画面表示部にのみ、チップ交換パターンを表示するようにしてもよい。
【符号の説明】
【００６３】
１  紙幣計数装置
２１  操作入力部
２３  画面制御部
８１  第１ディスプレイ（画面表示部）
８２  第２ディスプレイ（画面表示部）
Ｃ１〜Ｃ４  チップ交換パターン
Ｄ１  計数値
【図１】
2016197321.tif 000003
【図２】
2016197321.tif 000004
【図３】
2016197321.tif 000005
【図４】
2016197321.tif 000006
【図５】
2016197321.tif 000007
【図６】
2016197321.tif 000008
【図７】
2016197321.tif 000009
【図８】
2016197321.tif 000010